(57)【要約】【課題】操作部形成面や表示部形成面の面積が増大するのを防止することにより、装置全体の大型化を招くことを防止することができる折畳み型携帯端末装置を提供する。【解決手段】操作部形成面３４を有する第１ケース３６と、表示部形成面３２を有する第２ケース３５が折畳み自在となっていて、表示部形成面３２に設けられ、前記折畳み動作の完了時にその先端部が操作部形成面３４に当接して第１，第２ケース３６，３５間に隙間を作る隙間形成突起部５０を有する折畳み型携帯端末装置３０において、隙間形成突起部５０の中心部に軸孔５０ａを設け、隙間形成突起部５０よりケース３５の厚さ方向内側に重ねて設けられ、軸孔５０ａから導入される外部光の明るさについて検知して信号を出力する光センサ５２と、光センサ５２からの信号を入力して照明を制御する制御手段５５とを備えた。【選択図】      図２
2004260269.tif 000002
【特許請求の範囲】
【請求項１】
操作部形成面を有する第１ケースと、表示部形成面を有する第２ケースが、操作部形成面と表示部形成面を接近させるように折畳み自在となっていて、
前記操作部形成面及び前記表示部形成面の一方に設けられ、前記折畳み動作の完了時にその先端部が操作部形成面及び表示部形成面の他方に当接して前記第１，第２ケース間に隙間を作る隙間形成突起部を有する折畳み型携帯端末装置において、
前記隙間形成突起部の中心部に軸孔を設け、
前記隙間形成突起部より前記ケースの厚さ方向内側に重ねて設けられ、前記軸孔から導入される外部光の明るさについて検知して信号を出力する光センサと、前記光センサからの信号を入力して、前記表示部形成面に設けられたバックライト、及び／又は、前記操作部形成面に設けられた操作ボタンの、照明を制御する制御手段と
を備えたことを特徴とする折畳み型携帯端末装置。
【請求項２】
前記隙間形成突起部の軸孔内に光伝達部材を設けるようにした請求項１に記載の折畳み型携帯端末装置。
【請求項３】
操作部形成面を有する第１ケースと、表示部形成面を有する第２ケースが、操作部形成面と表示部形成面を接近させるように折畳み自在となっていて、
前記操作部形成面及び前記表示部形成面の一方に設けられ、前記折畳み動作の完了時にその先端部が操作部形成面及び表示部形成面の他方に当接して前記第１，第２ケース間に隙間を作る隙間形成突起部を有する折畳み型携帯端末装置において、
前記隙間形成突起部を透光性を有する材料により形成し、
前記隙間形成突起部より前記ケースの厚さ方向内側に重ねて設けられ、透光性を有する隙間形成突起部から導入される外部光の明るさについて検知して信号を出力する光センサと、
前記光センサからの信号を入力して、前記表示部形成面に設けられたバックライト、及び／又は、前記操作部形成面に設けられた操作ボタンの、照明を制御する制御手段と
を備えたことを特徴とする折畳み型携帯端末装置。
【請求項４】
前記隙間形成突起部が弾性材により形成されて、前記折畳み動作の完了時に前記第１，第２ケース間の緩衝動作を行なう緩衝用突起部として用いられるようにした請求項１又は請求項３に記載の折畳み型携帯端末装置。
【請求項５】
前記隙間形成突起部が非弾性材により形成され、
前記操作部形成面及び前記表示部形成面の他方に、弾性材により形成され、前記折畳み動作の完了時に前記隙間形成突起部の先端部が当接して緩衝動作を行なう突起受け部を設けるようにした
請求項１又は請求項３に記載の折畳み型携帯端末装置。
【発明の詳細な説明】
【０００１】
【発明の属する技術分野】
本発明は、一対のケースが折畳み自在に連結された折畳み型携帯電話機のような、折畳み型携帯端末装置に関するものである。
【０００２】
【従来の技術】
折畳み型携帯端末装置としては従来は、例えば一対のケースが折畳み自在に連結された折畳み型の携帯電話機があった。その携帯電話機の一対のケースのうち、操作部形成面を有する一方のケースの同面に突起部を設け、表示部形成面を有する他方のケースに対して折り畳んだときに、その表示部形成面の上記突起部に対応する位置には、シリコンゴム等の弾性体の受け部品を嵌め込み、携帯電話機を折り畳んだときに、上記突起部が上記弾性体の受け部品に当接することにより、その折畳み時の衝撃を吸収すると共に、操作キーが表示部形成面に直接当たることを防止するためにケース間に隙間ができるようになっている（例えば、特許文献１参照）。
【０００３】
そして、上記弾性体の受け部品は、表示部形成面側のケースを構成する裏表一対のパネルの一方を他方にネジ止めするためにあけた、ネジ止め用孔を閉止するための閉止カバーをも兼ねている場合が多い。
【０００４】
【特許文献１】
特開２００３−８７０８号公報
【０００５】
【発明が解決しようとする課題】
しかしながら、このような従来の折畳み型携帯電話機においては、前記操作部形成面上において、上記突起部と同じ場所に、例えば光センサーのような他の部品を設けることはできないので、光センサーのような他の部品は操作部形成面上においてその突起部とは別の位置に設けなければならなくなり、それだけ操作部形成面に大きな面積が必要となって、携帯端末装置の大型化を招いてしまうという問題があった。
【０００６】
そこで本発明は、上記問題点に鑑みて、操作部形成面や表示部形成面の面積が増大するのを防止することにより、装置全体の大型化を招くことを防止することができる折畳み型携帯端末装置を提供することを課題とするものである。
【０００７】
【課題を解決するための手段】
上記課題を解決するために本発明は、
操作部形成面を有する第１ケースと、表示部形成面を有する第２ケースが、操作部形成面と表示部形成面を接近させるように折畳み自在となっていて、
前記操作部形成面及び前記表示部形成面の一方に設けられ、前記折畳み動作の完了時にその先端部が操作部形成面及び表示部形成面の他方に当接して前記第１，第２ケース間に隙間を作る隙間形成突起部を有する折畳み型携帯端末装置において、
前記隙間形成突起部の中心部に軸孔を設け、
前記隙間形成突起部より前記ケースの厚さ方向内側に重ねて設けられ、前記軸孔から導入される外部光の明るさについて検知して信号を出力する光センサと、
前記光センサからの信号を入力して、前記表示部形成面に設けられたバックライト、及び／又は、前記操作部形成面に設けられた操作ボタンの、照明を制御する制御手段とを備えたことを特徴とするものである。
【０００８】
このような折畳み型携帯端末装置によれば、前記隙間形成突起部がその中心部に軸孔を有し、隙間形成突起部よりケースの厚さ方向内側に光センサを重ねて設け、隙間形成突起部の軸孔から導入される外部光の明るさについて光センサが検知して、制御手段が上記バックライトや操作ボタンの照明を制御するようにしたため、操作部形成面及び表示部形成面の一方の面上において隙間形成突起部と光センサを同じ場所に重ねて設けることができるので、操作部形成面及び表示部形成面の一方の面上において光センサを隙間形成突起部と別の場所に設ける場合のように折畳み型携帯端末装置が大型化することを防止することができる。
【０００９】
【発明の実施の形態】
以下、本発明の実施の形態について、図面に基づいて具体的に説明する。
図１ないし図４は、本発明に係る折畳み型携帯端末装置の一実施の形態について説明するために参照する図である。
【００１０】
図１に示す携帯電話機３０は、表示部形成面３２を有するケース３５と、操作部形成面３４を有するケース３６から構成されている。ケース３５の表示部形成面３２には、ＬＣＤ（液晶ディスプレイ）等から構成される表示面１２や、スピーカ１３等が設けられている。ケース３６の操作部形成面３４には、上下左右の方向に指示することができる十字キー１８や、数字とか文字を入力することができるテンキー２０等の各種キー、さらに、マイクロホン１５等が設けられている。
【００１１】
図２に示すように、ケース３５は、そのケース構成部材３５ａ，３５ｂの内側面が互いに対向して、互いに重なって配置され、表示部形成面３２が形成される一方のケース構成部材３５ａには、弾性体により形成された隙間形成突起部５０が設けられており、この隙間形成突起部５０と他方のケース構成部材３５ｂとの間には、隙間形成突起部５０の中心部に対向するよう配置された光センサー５２の、支持基板５４が挟まれて設けられている。
【００１２】
隙間形成突起部５０の中心部には、その軸方向に伸びる軸孔５０ａが形成され、この軸孔５０ａ内には、外部光を光センサー５２に導く光ファイバー５６（光伝達部材）が設けられている。
【００１３】
図４に示すように、光センサー５２はＣＰＵ５５（制御手段）に信号を出力し、光センサー５２が外部光が暗いことを検出した場合は、ＣＰＵ５５は、表示面１２のバックライト５８や、操作部形成面３４のテンキー２０等の各操作キー用照明ランプ５７を点灯させるよう制御するようになっている。
【００１４】
また、ケース３５の隙間形成突起部５０の近傍部には、スピーカ１３が設けられていて、そのスピーカ１３が発する音が隙間形成突起部５０と同じ側の孔から聞こえるようになっている。
【００１５】
図３に示すように、操作部形成面３４を有するケース３６は、そのケース構成部材３６ａ，３６ｂの内側面が互いに対向して、互いに重なって配置され、ケース構成部材３６ｂのネジ穴にネジ部材３７がネジ結合することにより、ケース構成部材３６ｂにケース構成部材３６ａがネジ止めされて固定されるようになっている。
【００１６】
このときネジ部材３７は、ケース構成部材３６ａにあけられたネジ止め用孔３９から挿入され、図示しないネジ回し用工具（ドライバー）により回転されて、ケース構成部材３６ｂのネジ穴にネジ結合する。このため、ネジ部材３７のネジ結合の操作後には、ネジ止め用孔３９にキャップ部材４０が嵌合してそれを閉止し、操作部形成面３４にそのネジ止め用孔３９があいたまま残らないようになっている。
【００１７】
このような携帯電話機３０は、ケース３５と３６を折り畳んだときに、表示部形成面３２の隙間形成突起部５０の先端が、操作部形成面３４のキャップ部材４０の露出面に当接することにより、表示部形成面３２と操作部形成面３４との間に隙間を確保して、表示面１２にテンキー２０等が直接接触して損傷を与えないようになっている。また、隙間形成突起部５０は弾性体により形成されているので、携帯電話機３０の折り畳み時に衝突音が発生するのを防止することができる。
【００１８】
そして、表示部形成面３２を正面から見たとき、光センサー５２は隙間形成突起部５０と互いに重なって同じ位置にあるため、その正面において光センサー５２を隙間形成突起部５０とは別の位置に設ける必要が無いので、表示部形成面３２の面積が大きくなることを防止して携帯電話機３０の大型化を防止することができる。
【００１９】
なお、上記実施の形態においては、隙間形成突起部５０を弾性体により形成した場合について説明したが、キャップ部材４０を弾性体により形成すれば、隙間形成突起部５０には非弾性体を用いてもよい。
【００２０】
また、上記実施の形態においては、隙間形成突起部５０に透光体を用いない場合について説明したが、隙間形成突起部５０を透光体を用いて形成してもよく、その場合には、必ずしも軸孔５０ａや光ファイバー５６は必要ではない。
【００２１】
また、上記実施の形態においては、隙間形成突起部５０の先端が当接する相手面のその対応する位置に、キャップ部材４０を設けた場合について説明したが、隙間形成突起部５０は弾性体により形成されているので、上記位置には必しもキャップ部材４０が無いタイプの折畳み型携帯端末装置にも、本発明は適用することができる。
【００２２】
また、上記実施の形態においては、光伝達部材として光ファイバー５６を用いた場合について説明したが、光伝達部材としてその機能を満足するものであれば、光ファイバー５６に限定する必要は全く無く、それ以外のどのような材料を用いてもよいことはいうまでもない。
【００２３】
【発明の効果】
以上説明したように、本発明によれば、隙間形成突起部がその中心部に軸孔を有し、隙間形成突起部よりケースの厚さ方向内側に光センサを重ねて設け、隙間形成突起部の軸孔から導入される外部光の明るさについて光センサが検知して、制御手段が上記バックライトや操作ボタンの照明を制御するようにしたため、操作部形成面及び表示部形成面の一方の面上において隙間形成突起部と光センサを同じ場所に重ねて設けることができるので、操作部形成面及び表示部形成面の一方の面上において光センサを隙間形成突起部と別の場所に設ける場合のように折畳み型携帯端末装置が大型化することを防止することができる。
【図面の簡単な説明】
【図１】本発明の一実施の形態に係る携帯電話機３０を示すその正面図である。
【図２】図１におけるケース３５のＡ−Ａ線断面図である。
【図３】図１におけるケース３６のＢ−Ｂ線断面図である。
【図４】携帯電話機３０のＣＰＵ５５による制御動作を説明するためのブロック回路図である。
【符号の説明】
１２  表示面
１３  スピーカ
１５  マイクロホン
１８  十字キー
２０  テンキー
３０  携帯電話機
３２  表示部形成面
３４  操作部形成面
３５  ケース
３５ａ，３５ｂ  ケース構成部材
３６  ケース
３６ａ，３６ｂ  ケース構成部材
３７  ネジ部材
３９  ネジ止め用孔
４０  キャップ部材
５０  隙間形成突起部
５０ａ  軸孔
５２  光センサー
５４  支持基板
５５  ＣＰＵ
５６  光ファイバー
５７  操作キー用照明ランプ
５８  表示面用バックライト
【図１】
2004260269.tif 000003
【図２】
2004260269.tif 000004
【図３】
2004260269.tif 000005
【図４】
2004260269.tif 000006